(57)【要約】【課題】  カマキスイッチ群の取付け作業性、安全性及び取付高さ位置の精度を向上させることにある。【解決手段】  昇降路１内の最上階及び最下階の規定位置に取付けるカマキスイッチ装置であって、乗りかごをガイドする一方のガイドレール１０に所定間隔、かつ、一側方に突き出すブラケット２１，２１と、複数のブラケット間に架け渡されたスイッチ取付け部材２２と、このスイッチ取付け部材に規定寸法を維持して取付けられたカマキスイッチ群２３と、カマキスイッチ群と昇降路１とに対向設置された投光器２４及び光検知器２５とを備え、光検知器が投光器からの光を所定受光レベルで検知するように複数のブラケット２１を上下移動させ、カマキスイッチ群２３を規定高さ位置に設定するエレベータの移動式カマキスイッチ装置である。【選択図】図２
2009126644.tif 000002
【特許請求の範囲】
【請求項１】
乗りかごの行き過ぎを防止するために、昇降路内の少なくとも最上階の規定位置に、前記乗りかごの一側部に取付けられた作動カムと接するように複数のカマキスイッチを配置したエレベータのカマキスイッチ装置において、
前記乗りかごをガイドする一方のガイドレールに所定間隔、かつ、所定の一側方に突き出すように設けた複数のブラケットと、
この複数のブラケット間に架け渡されたスイッチ取付け部材と、
このスイッチ取付け部材に規定の寸法を維持して取付けられた前記複数のカマキスイッチと、
少なくとも最上段のカマキスイッチと前記昇降路とに対向するように設置された投光器及び光検知器とを備え、
前記光検知器が前記投光器から投光される光を所定の受光レベルで検知するように前記複数のブラケットを上下移動させ、前記複数のカマキスイッチを規定高さ位置に設定することを特徴とするエレベータの移動式カマキスイッチ装置。
【請求項２】
乗りかごの行き過ぎを防止するために、昇降路内の少なくとも最上階の規定位置に、前記乗りかごの一側部に取付けられた作動カムと接するように複数のカマキスイッチを配置したエレベータのカマキスイッチ装置において、
前記乗りかごをガイドする一方のガイドレールに所定間隔、かつ、所定の一側方に突き出すように設けた複数のブラケットと、
前記複数のブラケットのうち何れか一方のブラケット先端部に設置されたベルト駆動用モータと、
このモータの回転軸及び他方のブラケット先端部に装着されたシーブと、
このシーブ間に掛け渡されたベルトと、
このベルトに規定の寸法を維持して取付けられた前記複数のカマキスイッチとを備え、
前記ベルト駆動用モータを回転駆動し、前記複数のカマキスイッチを規定高さ位置に設定するように上下調整することを特徴とするエレベータの移動式カマキスイッチ装置。
【請求項３】
請求項２に記載のエレベータの移動式カマキスイッチ装置において、
前記少なくとも最上段のカマキスイッチと前記昇降路とに対向するように投光器及び光検知器とを設けたことを特徴とするエレベータの移動式カマキスイッチ装置。
【請求項４】
乗りかごの行き過ぎを防止するために、昇降路内の少なくとも最上階の規定位置に、前記乗りかごの一側部に取付けられた作動カムと接するように複数のカマキスイッチを配置したエレベータのカマキスイッチ装置において、
前記乗りかごをガイドする一方のガイドレールに所定間隔、かつ、所定の一側方に突き出すように設けた複数のブラケットと、
この複数のブラケット間に架け渡されたスイッチ移動用ガイドレールと、
各カマキスイッチにそれぞれ設けられ、前記スイッチ移動用ガイドレールをローラで挟持して転動可能に少なくとも当該一方のローラを回転駆動するローラ駆動用モータを設けた転動機構ブロック体とを備えたことを特徴とするエレベータの移動式カマキスイッチ装置。
【請求項５】
請求項２ないし請求項４の何れか一項に記載のエレベータの移動式カマキスイッチ装置において、
外部から回転駆動信号を無線送信し、前記駆動モータを回転駆動させる無線式リモートコントローラを設けたことを特徴とするエレベータの移動式カマキスイッチ装置。
【請求項６】
請求項４または請求項５に記載のエレベータの移動式カマキスイッチ装置において、
前記転動機構ブロック体に押付け力可変装置を設け、
前記ローラ駆動用モータの回転駆動時に前記スイッチ移動用ガイドレールへの前記ローラの押付け力を低減させることを特徴とするエレベータの移動式カマキスイッチ装置。
【発明の詳細な説明】
【技術分野】
【０００１】
本発明は、乗りかごが昇降路頂上部や底部の規定位置を越えた際に乗りかごを減速もしくは停止させるためのエレベータの移動式カマキスイッチ装置に関する。
【背景技術】
【０００２】
図９は従来の一般的なトラクション方式のエレベータシステムを示す構成図である。
【０００３】
同図において、１はエレベータの昇降路、２は機械室である。機械室２にはかご駆動装置３及び制御盤４が設置されている。５はかご駆動装置３に巻き掛けられたメインロープであって、そのロープ５一端部にはかご枠の一部となる立枠６ａに支持された乗りかご６が吊り下げられ、ロープ５他端部にはつり合い重り７が吊り下げられている。８はテールコードである。
【０００４】
各立枠６ａの上下端部には図１０に示すようにそれぞれかごガイド部材９が取付けられている。また、昇降路１内部には各かごガイド部材９と向き合う一対のかごガイドレール１０，１０が垂直に立設されており、制御盤４からの走行駆動指令に従ってかご駆動装置３が所定速度で回転したとき、メインロープ５に吊下されている乗りかご６がガイド部材９を介してかご用ガイドレール１０，１０にガイドされつつ上下方向に昇降する。
【０００５】
ところで、乗りかご６の走行時、乗りかご６がある規定位置を越えて昇降路１の頂上部や底部へ衝突するのを回避するために、図１０及び図１１に示すように一方のかご用ガイドレール１０にカマキスイッチ装置（カマキスイッチ装置とも呼ぶ）が取付けられる。
【０００６】
このカマキスイッチ装置は、ガイドレール１０の最上階付近及び最下階付近から一側方に突き出すようにそれぞれレールクリップ１２を介して複数のブラケット１３ｕ，１３ｕ及び複数の下部ブラケット１３ｄ，１３ｄが取付けられ、これらブラケット１３ｕ，１３ｕ間及び下部ブラケット１３ｄ，１３ｄ間にはそれぞれ配線を兼ねるスイッチ取付け部材１４ｕ，１４ｄが架け渡されている。
【０００７】
各スイッチ取付け部材１４ｕ，１４ｄにはそれぞれカマキスイッチ群１５が取付けられる。
【０００８】
カマキスイッチ群１５の一例を説明すると、スイッチ取付け部材例えば１４ｕの最上階シル面側から昇降路頂部方向に減速位置を検出する減速リミットスイッチ１１５ｕａ、作業者がかご上で作業する際にキープする作業位置を検出する頂部確保リミットスイッチ１５ｕｅ、かご停止及びブレーキによるかご停止位置を検出する強制停止リミットスイッチ１５ｕｂ、駆動装置３に供給する電力カット位置を検出する制動リミットスイッチ１５ｕｃ、電源カットを含む各種関連機器による完全停止位置を検出するファイナルリミットスイッチ１５ｕｄの順序で、かつ、相互の規定寸法を維持した状態で取付けられている。
【０００９】
また、昇降路底部側のスイッチ取付け部材１４ｄにも頂部確保リミットスイッチ１５ｕｅを除いて所定の順序で減速リミットスイッチ１５ｄａ、強制停止リミットスイッチ１５ｄｂ、制動リミットスイッチ１５ｄｃ、ファイナルリミットスイッチ１５ｄｄが取付けられている。
【００１０】
さらに、乗りかご６の一側面部には弓状の作動カム１６が取付けられ、カマキスイッチ群１５に対する作動子の機能を持っている。すなわち、作動カム１６が各カマキスイッチに接触したとき、自動的にオン信号を制御盤４に送信する。
【００１１】
なお、カマキスイッチ群１５における各カマキスイッチの取付け高さ位置は、オーバヘッドやかごの定常速度によって決定され、取付け物件ごとに取付け高さ位置が異なる。
【００１２】
そこで、従来においては、スイッチ取付け部材１４ｕ，１４ｄにカマキスイッチ群１５を取付けた状態で現地に搬入し、ガイドレール１０の規定高さ位置にブラケット１３ｕや下部ブラケット１３ｄを介して取付けているが、この取付作業時に足場やゴンドラを利用し、巻尺等を用いて最上階シル面から各スイッチ取付け高さ位置までの寸法を目視確認しながら、ガイドレール１０に沿って例えばブラケット１３ｕを上下方向に調整し、カマキスイッチ群１５が規定高さ位置となるように取付けている。
【００１３】
従来のもう１つのカマキスイッチ装置としては、昇降路１壁面の規定高さ位置にカマキスイッチを取付けたものが提案されている（特許文献１）。
【特許文献１】特開平８−１２２１１号公報
【発明の開示】
【発明が解決しようとする課題】
【００１４】
しかしながら、図９〜図１１で説明したカマキスイッチ装置は、スイッチ取付け部材１４ｕ，１４ｄにカマキスイッチ群１５を取付けた状態で現地に搬入する為、取付け物件毎にスイッチ取付け部材１４ｕ，１４ｄのどの位置に各スイッチを取付けるかを計算してスイッチ取付け寸法を決定し、手配を行う必要がある。
【００１５】
また、現地に搬入されたカマキスイッチ装置を取付ける際、足場やゴンドラを利用し、巻尺を用いてガイドレール１０にブラケット１４ｕ，１４ｄを取付けることから、作業性が悪く、安全性に欠ける問題がある。
【００１６】
一方、特許文献１に示すカマキスイッチ装置は、昇降路壁面に上部カマキスイッチ及び下部カマキスイッチを取付けた例であるが、これらスイッチをどのように取付けるか不明であり、また多数のカマキスイッチを取付け作業についても不明である。
【００１７】
一般には、昇降路内に組込んだ足場やゴンドラを利用し、各カマキスイッチを昇降路壁面に取付けるものと考えられる。よって、前者のカマキスイッチ装置と同様に作業性や安全性に欠ける問題がある。
【００１８】
本発明は上記事情に鑑みてなされたもので、現地でのカマキスイッチ群の取付け作業性、安全性及び取付高さ位置の精度を向上させるエレベータの移動式カマキスイッチ装置を提供することを目的とする。
【課題を解決するための手段】
【００１９】
（１）  上記課題を解決するために、本発明は、乗りかごの一側部に取付けられた作動カムと接するように複数のカマキスイッチを配置したエレベータのカマキスイッチ装置であって、前記乗りかごをガイドする一方のガイドレールに所定間隔、かつ、所定の一側方に突き出すように設けた複数のブラケットと、この複数のブラケット間に架け渡されたスイッチ取付け部材と、このスイッチ取付け部材に規定の寸法を維持して取付けられた前記複数のカマキスイッチと、少なくとも最上段のカマキスイッチと前記昇降路とに対向するように設置された投光器及び光検知器とを備え、前記光検知器が前記投光器から投光される光を所定の受光レベルで検知するように前記複数のブラケットを上下移動させ、前記複数のカマキスイッチを規定高さ位置に設定するエレベータの移動式カマキスイッチ装置である。
【００２０】
また、本発明は、複数のブラケットのうち何れか一方のブラケット先端部にベルト駆動用モータを設置し、当該ベルト駆動用モータを回転駆動し、両ブラケット先端部に装着されたシーブに掛け渡された複数のカマキスイッチを取付けたベルトを上下動させることにより、複数のカマキスイッチを規定高さ位置に設定するように上下調整する構成であってもよい。なお、ベルトに取付けられたか巻きスイッチのうち少なくとも最上段のカマキスイッチと昇降路とに対向するように投光器及び光検知器とを設け、所定の受光レベル検知により高さ位置を調整してもよい。
【００２１】
（２）  また、本発明は、乗りかごをガイドする一方のガイドレールに所定間隔、かつ、所定の一側方に突き出すように設けた複数のブラケットと、この複数のブラケット間に架け渡されたスイッチ移動用ガイドレールと、各カマキスイッチにそれぞれ設けられ、前記スイッチ移動用ガイドレールをローラで挟持して転動可能に少なくとも当該一方のローラを回転駆動するローラ駆動用モータを設けた転動機構ブロック体とを備えたエレベータの移動式カマキスイッチ装置である。
【００２２】
なお、無線式リモートコントローラを用いて、駆動モータを回転駆動させることにより、複数のカマキスイッチの高さ調整を行ってもよい。
【００２３】
また、前記転動機構ブロック体に押付け力可変装置を設け、前記ローラ駆動用モータの回転駆動時に前記スイッチ移動用ガイドレールへの前記ローラの押付け力を低減させることにより、省電力化によりローラをスムーズに転動させることができる。
【発明の効果】
【００２４】
本発明によれば、現地でのカマキスイッチ群の取付け作業性、安全性及び取付高さ位置の精度を向上させることができるエレベータの移動式カマキスイッチ装置を提供できる。
【発明を実施するための最良の形態】
【００２５】
以下、本発明の実施の形態について図面を参照して説明する。  
（実施の形態１）  
図１及び図２は本発明に係るエレベータの移動式カマキスイッチ装置の実施の形態１を説明する図であって、図１はエレベータシステムの全体構成図、図２は移動式カマキスイッチ装置の要部を示す構成図である。
【００２６】
このエレベータシステムは、建物の内部または外部にエレベータの昇降路１が設けられ、この昇降路１の上部には機械室２が設けられている。機械室２には、電動機及び巻上機等を含むかご駆動装置３及びかご呼び・乗場呼びに応じて行先階や呼び階に向けて乗りかご６を所定の速度で昇降するように駆動装置３を制御する制御盤４が設置されている。
【００２７】
かご駆動装置３の巻上機にはメインロープ５が巻き掛けられ、ロープ５の一端部にはかご枠の一部となる立枠６ａに支持された乗りかご６が吊り下げられ、メインロープ５の他端部にはつり合い重り７が吊り下げられている。乗りかご６の下部とつり合い重り７の下部との間には、制御盤４などから乗りかご６内に必要な電力を給電し、また乗りかご６と制御盤４との間で制御情報の受け渡しを行うためのテールコード８が結ばれている。
【００２８】
また、乗りかご６が支持される各立枠６ａの上下端部には前述したようにかごガイド部材（図示せず）が取付けられている。
【００２９】
一方、昇降路１内部には一対のガイドレール１０，１０が垂直に立設され、そのうち一方のガイドレール１０の最上階付近及び最下階付近にはカマキスイッチ装置が取付けられる。なお、以下、説明の便宜上、ガイドレール１０の最上階の規定高さ位置付近に取付けるカマキスイッチ装置について説明し、最下階付近にはカマキスイッチ装置について省略する。
【００３０】
カマキスイッチ装置としては、図２に示すように複数のブラケット２１，２１と、これらブラケット２１，２１の先端部に架け渡す配線支持を兼ねるスイッチ取付け部材２２と、このスイッチ取付け部材２２に相互に所定寸法を維持しつつ所定の順序で取付けるカマキスイッチ群２３と、このカマキスイッチ群２３の例えばスイッチ毎に設けられ、ほぼ真上方向に光を投光する投光器２４と、この投光器２４の投光方向となる昇降路１の所定個所に設置される光検知器２５とで構成される。
【００３１】
各ブラケット２１，２１は、ガイドレール１０の一側方へ突き出すようにレールクリップ２６により締め付け固定される。
【００３２】
なお、カマキスイッチ群２３としては、前述したようにスイッチ取付け部材２２の下側から上側方向に、かご減速位置を検出する減速リミットスイッチ２３ａ、作業者がかご上で作業する際にキープする作業位置を検出する頂部確保リミットスイッチ２３ｅ、かご停止及びブレーキによるかご停止位置を検出する強制停止リミットスイッチ２３ｂ、かご駆動装置３に供給する電力カット位置を検出する制動リミットスイッチ２３ｃ、電源カットを含む各種関連機器による完全停止位置を検出するファイナルリミットスイッチ２３ｄの順序で、かつ、相互に規定寸法をもって取付けられる。
【００３３】
光検知器２５は、図３に示すように受光素子２５ａと、規定距離に対する少なくとも１つの設定レベルを記憶するメモリ２５ｂと、受光素子２５ａで受光された受光レベルが設定レベルに達したか否かを判定する判定部２５ｃと、判定部２５ｃで受光レベルが設定レベルに達したとき、カマキスイッチ群２３が規定高さ位置に設定されたと判定し、その判定結果の信号を受けて鳴動するブザー２５ｄとを設けたものである。
【００３４】
次に、ガイドレール１０に対するカマキスイッチ装置の取付け作業例について説明する。  
先ず、ガイドレール１０の最上階の規定高さ位置にカマキスイッチ装置を取付ける前に、スイッチ取付け部材２２に規定寸法を維持しつつ所定の順序でカマキスイッチ群２３を取付けた後、スイッチ取付け部材２２をブラケット２１，２１の先端部に固定する。
【００３５】
引き続き、作業員が各ブラケット２１，２１をガイドレール１０の最上階の規定高さ位置付近にレールクリップ２６にて仮締めし、ガイドレール１０に沿って上下移動可能な状態に設定する。なお、ガイドレール１０に各ブラケット２１，２１を取付けた後、カマキスイッチ群２３が取付けられたスイッチ取付け部材２２をブラケット２１，２１先端部に掛け渡してもよい。
【００３６】
このとき、カマキスイッチ群２３の各スイッチまたはカマキスイッチ群２３のうち最上段スイッチ２３ｄ及び最下段スイッチ２３ａに付設された投光器２４からほぼ真上方向に光が投光される。一方、光検知器２５は、受光素子２７ａで受光する受光レベルと設定レベルとを比較し、受光レベルが設定レベルに一致したか否かを判定する。
【００３７】
ここで、ガイドレール１０にそって各ブラケット２１，２１を徐々に所定方向に上下移動させていくと、最上段スイッチ２３ｄに付設される投光器２４と光検知器２５との距離が所定の距離となったとき、光検知器２５では、受光素子２７ａで受光する受光レベルが設定レベルと一致し、ブザー２７ｄを鳴動するので、カマキスイッチ群２３が規定高さ位置に合致したと判断し、各ブラケット２１，２１をレールクリップ２６で締め付け固定する。
【００３８】
従って、以上のような実施の形態によれば、ガイドレール１０に対して、カマキスイッチ装置のブラケット２１，２１をレールクリップ２６で仮締めした後、ガイドレール１０に沿って上下動させつつ、ブザー２７ｄが鳴動したときにレールクリップ２６を締め付けるので、カマキスイッチ群２３を規定高さ位置にあることを容易に確認でき、カマキスイッチ装置の取付け作業性、安全性を高めることができ、ひいてはカマキスイッチ群２３を規定高さ位置に高精度に取付けることができる。
【００３９】
なお、上記実施の形態では、カマキスイッチ群２３の各スイッチに投光器２４を設けたが、カマキスイッチ群２３の何れか１つのスイッチに投光器２４を設けた構成であってもよい。また、スイッチ側に投光器２４、昇降路１の天井２７側に光検知器２５を設置したが、逆であっても構わない。すなわち、昇降路１の天井２７側に投光器２４、スイッチ側に光検知器２５を設置してもよい。
【００４０】
また、昇降路１の天井２７側ではなく、昇降路１内の最上階ドア側壁あるいは反対側の壁に光検知器２５または投光器２４を設置させた構成であってもよい。
【００４１】
設置させてもよい。
【００４２】
さらに、カマキスイッチ群２３の各スイッチにそれぞれ投光器２４を設置する場合、互いに重なり合わないように多少位置をずらし、かつ、メモリ２５ｂ内には予め各スイッチまでの距離に相当する受光設定レベルを設定し、個別に各スイッチの規定高さ位置を調整する構成であってもよい。
【００４３】
なお、上記実施の形態は、ガイドレール１０の最上階の規定高さ位置付近にカマキスイッチ装置を取付ける例について説明したが、最下階の規定高さ位置付近にも同様の要領で取付けるものである。
【００４４】
（実施の形態２）  
図４は本発明に係るエレベータの移動式カマキスイッチ装置の実施の形態２を示す構成図であって、図１及び図２と同一部分には同一符号を付して説明する。
【００４５】
この実施の形態におけるカマキスイッチ装置は、ガイドレール１０に取付けるブラケット２１，２１のうち、何れか一方のブラケット２１の先端部に固定される可逆式ベルト駆動用モータ３１と、このモータの回転軸に直結される主動側シーブ３２と、他方のブラケット２１の先端部に固定される受動側シーブ３３と、これらシーブ３２、３３間に掛け渡され、現地搬入前に所定の順序で相互に規定寸法を維持した状態でカマキスイッチ群２３を取付けたベルト３４とで構成される。
【００４６】
このような構成されたカマキスイッチ装置の取付け作業例について説明する。  
先ず、現地に出向き、モータ３１及びシーブ３２を取付けたブラケット２１と、シーブ３３を取付けたブラケット２１とを、ガイドレール１０の規定高さ位置付近に所定間隔を有してレールクリップ２６により締め付け固定する。
【００４７】
引き続き、両シーブ３２，３３間にベルト３４を掛け渡す。ベルト３４には前述したように所定の順序で相互に規定寸法でカマキスイッチ群２３が取付けられている。
【００４８】
この状態において、制御盤４または最上階ホールにて作業員が所持するコントローラから信号線を通してベルト駆動用モータ３１に回転駆動信号を送出し、ベルト３４を上下移動させることにより、カマキスイッチ群２３が規定高さ位置となるように調整し、調整後にベルト駆動用モータ３１を停止させる。
【００４９】
なお、ガイドレール１０の最下階付近へのカマキスイッチ装置の取付けについては、この実施の形態と同様の要領でカマキスイッチ装置を取付けてもよい。
【００５０】
従って、以上のような実施の形態によれば、離れた場所からベルト駆動用モータ３１を回転させ、ベルト３４を上下移動させることにより、カマキスイッチ群２３を容易に規定高さ位置に設定でき、現地におけるカマキスイッチ群２３の取付け作業性、安全性及び取付高さ位置の精度を向上させることができる。
【００５１】
なお、上記実施の形態では、ベルト駆動用モータ３１内に送受信制御機能及び駆動制御機能を内蔵させ、ワイヤレス形リモートコントローラを用いて、外部からベルト駆動用モータ３１へ回転駆動信号を送信し、カマキスイッチ群２３の高さ位置を調整する構成であってもよい。
【００５２】
（実施の形態３）  
図５は本発明に係るエレベータの移動式カマキスイッチ装置の実施の形態３を示す構成図であって、図１及び図２と同一部分には同一符号を付して説明する。
【００５３】
この実施の形態３におけるカマキスイッチ装置は、実施の形態１と実施の形態２とを組みあせた構成である。すなわち、このカマキスイッチ装置は、モータ３１の回転によってベルト３４を上下方向に移動させつつ、カマキスイッチ群２３の高さ位置を可変させる実施の形態２の機能に加え、カマキスイッチ群２３のうち少なくともベルト３４の最上段に位置するファイナルリミット２３ｄに投光器２４または光検知器２５を取付け、昇降路１の天井２７側に光検知器２５または投光器２４を設置し、ファイナルリミットスイッチ２３ｄが規定高さ位置となったとき、ブザー２５ｄを鳴動させる構成である。
【００５４】
従って、この実施の形態によれば、モータ３１を回転駆動することにより、ベルト２４を介してカマキスイッチ群２３を上下方向に調整可能としたので、少なくともファイナルリミット２３ｄが規定高さ位置に達したときだけブザー２５ｄを鳴動させるようにすれば、カマキスイッチ群２３を容易に規定高さ位置に設定でき、現地におけるカマキスイッチ群２３の取付け作業性、安全性及び取付高さ位置の精度を向上させることができる。
【００５５】
なお、上記実施の形態では、昇降路１の天井２７側に光検知器２５または投光器２４を設けたが、実施の形態１と同様に昇降路１内の最上階ドア側壁あるいは反対側の壁に光検知器２５または投光器２４を設けた構成であってもよい。
【００５６】
（実施の形態４）  
図６は本発明に係るエレベータの移動式カマキスイッチ装置の実施の形態４を示す構成図であって、図１及び図２と同一部分には同一符号を付して説明する。
【００５７】
この実施の形態におけるカマキスイッチ装置は、ガイドレール１０の規定高さ位置付近に所定間隔をもってレールクリップ２６により締め付け固定される２つのブラケット２１，２１と、両ブラケット２１，２１の先端部間に掛け渡すように取付けられた凸状のスイッチ移動用ガイドレール４１と、このスイッチ移動用ガイドレール４１に転動可能に係合させる転動機構ブロック体４２と、この転動機構ブロック体４２と一体または各転動機構ブロック体４２に付設されるカマキスイッチ群２３の各リミットスイッチ２３ａ〜２３ｅとで構成される。
【００５８】
転動機構ブロック体４２は、凹状ブロック体４２ａの内側にはスイッチ移動用ガイドレール４１を挟むように装着される。具体的には、凹状ブロック体４２ａの内底面に添設された板体４２ｂから所定間隔をもって立設させた支軸板４２ｃ，４２ｃと、両支軸板４２ｃ，４２ｃに回動可能に連結された支持板４２ｄ，４２ｄと、２つの支持板４２ｄ，４２ｄに回転可能に支持されたローラ軸４２ｅと、このローラ軸４２ｅに固着されるローラ４２ｆと、常時はローラ４２ｆをスイッチ移動用ガイドレール４１に押付けるように前記支持板４２ｄ，４２ｄと凹状ブロック体４２ａとの間に介在される例えば圧縮バネなどのバネ部材４２ｇと、ローラ軸４２ｅを回転駆動するローラ駆動用モータ４２ｈとからなる。
【００５９】
なお、ローラ駆動用モータ４２ｈは、２つのローラ軸４２ｅ，４２ｅに取付けたが、何れか一方のローラ軸４２ｅだけに取付けた構成であっても構わない。
【００６０】
次に、以上のような移動式カマキスイッチ装置の取付け作業例について説明する。  
先ず、現地に出向き、先端部にスイッチ移動用ガイドレール４１を架け渡した２つのブラケット２１，２１をガイドレール１０の規定高さ位置付近にレールクリップ２６により締め付け固定する。
【００６１】
この状態において、スイッチ移動用ガイドレール４１に対し、カマキスイッチ群２３の１つである例えばファイナルリミットスイッチ２３ｄを備えた転動機構ブロック体４２を構成する２つのローラ４２ｆ，４２ｆを挟持させた状態とした後、ローラ駆動用モータ４２ｈを所定方向に回転駆動すると、両ローラ４２ｆ，４２ｆがスイッチ移動用ガイドレール４１を挟んだ状態で転動するので、ファイナルリミットスイッチ２３ｄを上下方向に移動させることができ、ひいてはファイナルリミットスイッチ２３ｄを規定高さ位置に容易に設定することができる。
【００６２】
カマキスイッチ群２３の他のスイッチ２３ａ〜２３ｃ、２３ｅについても同様に転動機構ブロック体４２に取付け、規定高さ位置に容易に設定できる。
【００６３】
従って、以上のような実施の形態によれば、ローラ駆動用モータ４２ｈを回転駆動することにより、カマキスイッチ群２３の各スイッチを容易に規定高さ位置に設置することができる。よって、現地にてカマキスイッチ群２３の取付け作業性、安全性及び取付高さ位置の精度を向上させることができる。
【００６４】
（実施の形態５）  
図７は本発明に係るエレベータの移動式カマキスイッチ装置の実施の形態５を説明する図であって、発明の要部をなす構成は図６と同様であるので、同一部分には同一符号を付して説明する。
【００６５】
この実施の形態において、図６と比較して特に異なるところは、ローラ駆動用モータ４２ｇを回転駆動する駆動源を付加したことにある。
【００６６】
ローラ駆動用モータ４２ｈの駆動源としては、例えば制御盤４または作業員が所持するコントローラから信号線を通してローラ駆動用モータ４２ｈに回転駆動信号を送出し、回転駆動することが考えられるが、ここでは、ローラ駆動用モータ４２ｈ側に送受信制御機能及び駆動制御機能を内蔵させ、適宜な階床などからワイヤレス形リモートコントローラ４３を用いて、外部からローラ駆動用モータ４２ｈを回転駆動させる構成である。
【００６７】
この実施の形態によれば、スイッチ移動用ガイドレール４１に対し、カマキスイッチ群２３の各カマキスイッチを備えた転動機構ブロック体４２を構成する２つのローラ４２ｆ，４２ｆを挟持させた後、遠隔地から作業者がワイヤレス形リモートコントローラ４３を操作すれば、スイッチ移動用ガイドレール４１に沿って容易に各カマキスイッチの設置高さを調整できる。このことは、従来のように足場やゴンドラを使用することなく、各カマキスイッチを規定高さ位置に設置することができる。よって、現地にてカマキスイッチ群２３の取付け作業性、安全性及び取付高さ位置の精度を向上させることができる。
【００６８】
（実施の形態６）  
図８は本発明に係るエレベータの移動式カマキスイッチ装置の実施の形態６を説明する図であって、発明の要部をなす構成は図６と同様であるので、同一部分には同一符号を付して説明する。
【００６９】
この実施の形態において、図６と比較して特に異なるところは、新たにローラ押付け力可変装置４４を設けたものである。ローラ押付け力可変装置４４を設けた理由は、スイッチ移動用ガイドレール４１上を押付け力を低減させつつ極力少ない消費電力で２つのローラ４２ｆ，４２ｆを滑らかに滑走させる為である。
【００７０】
しかし、カマキスイッチ群２３の各スイッチを規定高さ位置に設置した後、押付け力を低減させた状態では落下の可能性があるので、所要の押付け力に戻して各スイッチを設置する。
【００７１】
ローラ押付け力可変装置４４は、内部にコイル４４ａが内蔵され、電磁式クラッチに相当し、当該コイル４４ａを励磁することにより、バネ部材４２ｇである例えば圧縮バネを介してローラ軸４２ｅをコイル４４ａ側に引き寄せ、スイッチ移動用ガイドレール４１へのローラ４２ｆの押付け力を低減させる構成である。
【００７２】
従って、以上のような構成とすることにより、ローラ４２ｆを回転させる際、ローラ押付け力可変装置４４によってローラ４２ｆの押付け力を低減させた状態で当該ローラ４２ｆを転動させるので、２つのローラ４２ｆ，４２ｆを滑らかに転動させつつ、ローラ駆動用モータ４２ｈの消費電力を低減化することができる。
【００７３】
その他、本発明は、上記実施の形態に限定されるものでなく、その要旨を逸脱しない範囲で種々変形して実施できる。例えば実施の形態４，５，６では、ローラ駆動用モータ４２ｈを回転駆動することにより、スイッチ移動用ガイドレール４１にそってカマキスイッチ群２３の各スイッチを上下動させたが、このとき、実施の形態１，３と同様に投光器２４及び光検知器２５を設置し、光検知器２５が投光器２４からの光を所定の受光レベルとして検知したとき、ローラ駆動用モータ４２ｈの回転駆動を停止するようにすれば、自動的に各スイッチを規定高さ位置に設定することができる。
【図面の簡単な説明】
【００７４】
【図１】本発明に係るエレベータの移動式カマキスイッチ装置を適用する一般的なエレベータシステムの全体構成図。
【図２】本発明に係るエレベータの移動式カマキスイッチ装置の一実施の形態を示す図であって、同図（ａ）は上面図、同図（ｂ）はカマキスイッチ装置を拡大して示す側面図。
【図３】図２の光検知器の一例を示す構成図。
【図４】本発明に係るエレベータの移動式カマキスイッチ装置の他の実施の形態を示す図であって、同図（ａ）は上面図、同図（ｂ）はカマキスイッチ装置を拡大して示す側面図、同図（ｃ）は同図（ｂ）のＡ−Ａ矢印方向から見た図。
【図５】本発明に係るエレベータの移動式カマキスイッチ装置の他の実施の形態を示す図であって、同図（ａ）は上面図、同図（ｂ）はカマキスイッチ装置を拡大して示す側面図、同図（ｃ）は同図（ｂ）のＢ−Ｂ矢印方向から見た図。
【図６】本発明に係るエレベータの移動式カマキスイッチ装置の他の実施の形態を示す図であって、同図（ａ）は上面図、同図（ｂ）は同図（ａ）のＣ部分を拡大して示す図、同図（ｃ）は同図（ｂ）のＤ−Ｄ矢印方向から見た図。
【図７】本発明に係るエレベータの移動式カマキスイッチ装置の他の実施の形態を示す要部の構成図。
【図８】本発明に係るエレベータの移動式カマキスイッチ装置の他の実施の形態を示す要部の構成図。
【図９】従来の一般的にエレベータシステムの構成図。
【図１０】カマキスイッチ装置と乗りかごとの配置関係を示す上面図及び側面図。
【図１１】従来のエレベータのカマキスイッチ装置を示す図であって、同図（ａ）は最上階付近に設置されるカマキスイッチ装置の側面図、同図（ａ）は最下階付近に設置されるカマキスイッチ装置の側面図、同図（ｃ）はカマキスイッチ装置と乗りかごとの配置関係を示す上面図。
【符号の説明】
【００７５】
１…昇降路、２…機械室、３…かご駆動装置、４…制御盤、５…メインロープ、６…乗りかご、７…つり合い重り、１０…ガイドレール、２１…ブラケット、２２…スイッチ取付け部材、２３…カマキスイッチ群、２４…投光器、２５…光検知器、２６…レールクリップ、２７…昇降路の天井、３１…ベルト駆動用モータ、３２，３３…シーブ、３４…ベルト、４１…スイッチ移動用ガイドレール、４２…転動機構ブロック体、４２ｆ…ローラ、４２ｇ…バネ部材、４２ｈ…ローラ駆動用モータ、４３…ワイヤレス形リモートコントローラ、４４…ローラ押付け力可変装置。
【図１】
2009126644.tif 000003
【図２】
2009126644.tif 000004
【図３】
2009126644.tif 000005
【図４】
2009126644.tif 000006
【図５】
2009126644.tif 000007
【図６】
2009126644.tif 000008
【図７】
2009126644.tif 000009
【図８】
2009126644.tif 000010
【図９】
2009126644.tif 000011
【図１０】
2009126644.tif 000012
【図１１】
2009126644.tif 000013